(57)【要約】【課題】停電時においても、交差点の地点名標識板を夜間に点灯表示して、交差点の存在自体をドライバに良好に認識させ、交通事故の防止に役立てることができる停電時対応型標識装置を提供する。【解決手段】交差点の上方に設置され、交差点の地点の名称を示す地点名が付された地点名標識板１と、地点名標識板１を夜間に点灯表示する照明器具１３が設けられる。蓄電体９が設けられ、蓄電体９は照明器具１３のＬＥＤ１４に電力を供給する。昼夜検出器７が昼夜の別を検出して昼間信号または夜間信号を出力し、昼夜検出器７から夜間信号が出力されているとき、照明器具１３は点灯し地点名標識板１を照明表示する。【選択図】図１
2013100652.tif 000002
【特許請求の範囲】
【請求項１】
交差点の上方に設置され、該交差点の地点の名称を示す地点名が付された地点名標識板と、
該地点名標識板を夜間に光を照射して点灯表示する点灯表示手段と、
電力を蓄電する蓄電体を有し該点灯表示手段に電力を供給する電源手段と、
昼夜の別を検出して昼間信号または夜間信号を出力する昼夜検出手段と、
該昼夜検出手段から夜間信号が出力されているとき、該電源手段から供給される電力を用いて該点灯表示手段を点灯させるように制御する制御手段と、
を備え、
該地点名標識板は、金属板の表面に地点名を付した文字シートを貼着して形成され、該点灯表示手段は、該地点名標識板の上方に照明器具を設置し、該照明器具から照射した照明光により該地点名標識板を照明することを特徴とする停電時対応型標識装置。
【請求項２】
前記照明器具は、傘部の内側に棒状のＬＥＤユニットを配置して形成され、該ＬＥＤユニットには、複数のＬＥＤが間隔をおいて長手方向に沿って配設され、該ＬＥＤユニットが前記地点名標識板の表面に光を照射して、該地点名標識板を照明することを特徴とする請求項１記載の停電時対応型標識装置。
【請求項３】
前記電源手段は太陽電池を有し、昼間に該太陽電池で発生した起電力を前記蓄電体に蓄電し、夜間には該蓄電体からの電力を用いて前記点灯表示手段を点灯させることを特徴とする請求項１記載の停電時対応型標識装置。
【発明の詳細な説明】
【技術分野】
【０００１】
本発明は、交差点に設置され、その交差点の地点名を表示する地点名標識板を点灯表示し、停電時においても対応可能とした停電時対応型標識装置に関する。
【背景技術】
【０００２】
交差点には、通常、その地点の名称や交差点名を示す地点名が付され、地点名を反射シートに記した地点名標識板が、交差点の上方のドライバの見やすい位置に、掲げられている。しかし、従来の地点名標識板は、自発光しない或いは照明されない状態で、設置されるので、夜間、照明のない交差点では、自動車のドライバにとって、見づらい標識板となっている。また、地点名標識板は、通常、交差点の上方に設置されているため、夜間、自動車の前照灯の光が届きにくく、ドライバには見にくいのが実情である。
【０００３】
一方、交差点に設置される一時停止用の標識板として、従来、発光体を備え、夜間には発光表示される発光標識板が、下記特許文献１などで提案されている。
【先行技術文献】
【特許文献】
【０００４】
【特許文献１】特開平９−５９９４３号公報
【発明の概要】
【発明が解決しようとする課題】
【０００５】
しかし、夜間、一時停止標識のない通常の交差点では、反射式或いは内照式などの一時停止用標識は設置されないため、道路照明のない交差点では、地点名標識板に照明光が当らず、或いは地点名標識板が自発光しない状態で設置されるのみである。
【０００６】
このため、夜間、交差点を走行する自動車のドライバ或いは通行者に対し地点名標識板を設置して、行き先の目印や案内を行なったとしても、その誘目性や認知性が低く、ドライバ等の注意が道路上方に向けられて、前方不注意となりやすい。さらに、夜間、反射式或いは内照式などの一時停止用標識或いは信号機や道路照明のない交差点では、特にドライバ或いは通行者が交差点であることを認知しにくく、夜間交差点での交通事故に繋がりやすいという課題があった。
【０００７】
また、仮に交差点を照らす照明設備があったとしても、この種の照明設備は交差点中心の路面を照明するため、街路灯と区別がつきにくく、自動車のドライバは交差点に気づかない場合が多い。
【０００８】
さらに、信号機が設置された交差点であっても、災害時などに停電があった場合、信号機が消えるため、夜間、このような交差点を通過する自動車のドライバには、信号機付きの交差点であっても、停電時には交差点を認識しにくく、夜間の交通事故に繋がりやすいという課題があった。
【０００９】
本発明は、上述の課題に鑑みなされたもので、停電時においても、交差点の地点名標識板を夜間に点灯表示して、交差点の存在自体をドライバに良好に認識させ、交通事故の防止に役立てることができる停電時対応型標識装置を提供することを目的とする。
【課題を解決するための手段】
【００１０】
本発明に係る停電時対応型標識装置は、交差点の上方に設置され、該交差点の地点の名称を示す地点名が付された地点名標識板と、該地点名標識板を夜間に光を照射して点灯表示する点灯表示手段と、電力を蓄電する蓄電体を有し該点灯表示手段に電力を供給する電源手段と、昼夜の別を検出して昼間信号または夜間信号を出力する昼夜検出手段と、該昼夜検出手段から夜間信号が出力されているとき、該電源手段から供給される電力を用いて該点灯表示手段を点灯させるように制御する制御手段と、を備え、
該地点名標識板は、金属板の表面に地点名を付した文字シートを貼着して形成され、該点灯表示手段は、該地点名標識板の上方に照明器具を設置し、該照明器具から照射した照明光により該地点名標識板を照明することを特徴とする。
【００１１】
この発明の停電時対応型標識装置によれば、夜間、交差点の地点名標識板が点灯表示されるので、信号機がなく照明のない交差点であっても、暗い交差点を通過する自動車のドライバは、点灯表示された地点名標識板を容易に視認することができ、地点名標識板の点灯表示によって、ドライバには交差点の存在が確実に認識され、事故防止に寄与することができる。
【００１２】
また、点灯表示手段に電力を供給する電源手段に蓄電体を設けているので、災害時や計画停電時などに商用電源が停電して、信号機が消えている場合でも、点灯表示手段を点灯させて、地点名標識板を点灯表示することができ、停電時でも、交差点の存在をドライバや歩行者に確実に認識させることができる。
【００１３】
このため、例えば、夜間の災害時などに、被災者が徒歩で暗い道を歩いて帰る際、交差点で点灯表示された地点名標識板を見れば、どこを歩いているのかが直ぐに分かり、安心して帰宅することができる。また、簡単な構造の地点名標識板に照明器具を取り付けるのみで簡便に構成することができ、既存の地点名標識板にも簡単に適用することができる。
【００１４】
ここで、上記照明器具は、傘部の内側に棒状のＬＥＤユニットを配置して形成され、該ＬＥＤユニットには、複数のＬＥＤが間隔をおいて長手方向に沿って配設され、該ＬＥＤユニットが前記地点名標識板の表面に光を照射して、該地点名標識板を照明することができる。これによれば、少ない消費電力で輝度の高い光を地点名標識板に照射して照明することができ、停電時、小形化の蓄電体でも長時間にわたり照明を行なうことができる。
【００１５】
また、上記電源手段には、太陽電池を設け、昼間に太陽電池で発生した起電力を蓄電体に蓄電し、夜間には蓄電体からの電力を用いて点灯表示手段を点灯させることができる。これによれば、商用電源を使用せずに、標識装置を簡便に設置することができ、災害時や計画停電時に商用電源が停電して、信号機が消えている場合でも、長期間にわたり、点灯表示手段を点灯させて地点名標識板を点灯表示することができ、ドライバには交差点の存在を確実に認識させることができる。
【発明の効果】
【００１６】
本発明の停電時対応型標識装置によれば、停電時においても、交差点の地点名標識板を夜間に点灯表示して、交差点の存在自体をドライバに良好に認識させ、交通事故の防止に役立てることができる。
【図面の簡単な説明】
【００１７】
【図１】本発明の一実施形態を示し、信号機に取り付けた状態の停電時対応型標識装置の正面図である。
【図２】地点名標識板の正面図である。
【図３】同地点名標識板の平面図である。
【図４】同地点名標識板の背面図である。
【図５】同地点名標識板の部分断面付きの拡大右側面図である。
【図６】停電時対応型標識装置の電気回路のブロック図である。
【発明を実施するための形態】
【００１８】
以下、本発明の一実施形態を図面に基づいて説明する。図１は信号機２２の支柱２０に取り付けた状態の停電時対応型標識装置の正面図を示している。この停電時対応型標識装置は、地点名を付した地点名標識板１を、外照式により照明して表示する標識装置であり、交差点の上方に設置され、交差点の地点の名称を示す地点名が付された地点名標識板１と、地点名標識板１を夜間に点灯表示する点灯表示手段としての照明器具１３と、照明器具１３のＬＥＤ１４に電力を供給する電源手段としての蓄電体９及び太陽電池８と、昼夜の別を検出して昼間信号または夜間信号を出力する昼夜検出器７と、昼夜検出器７から夜間信号が出力されているとき、蓄電体９から供給される電力を用いて照明器具１３のＬＥＤ１４を点灯させるように制御する制御手段としてのコントローラ６と、を備えて構成される。
【００１９】
地点名標識板１は、矩形のアルミニウム板等からなる金属板１０の表面に、地点名を付した文字シート１７を貼着して構成される。地点名の文字シート１７は、例えば着色された反射シートを白色の下地反射シート上に貼着して形成され、金属板１０の前面に貼着される。なお、文字シート１７は着色した下地反射シートと白色の文字形反射シートとすることもできる。
【００２０】
図３，４に示すように、金属板１０の背面には複数のリブ１９が間隔をおいて鉛直方向に並行に溶接される。複数のリブ１９は補強用及び取付用に固定され、後述の２台の照明器具１３は取付ブラケット１８を介してこのリブ１９に固定される。また、図１のように、地点名標識板１を支柱２０のビーム２１に取り付ける際には、リブ１９と専用の固定金具を用いて支柱２０のビーム２１に対し金属板１０が取り付けられる。
【００２１】
地点名標識板１の上部には、２台の照明器具１３が、地点名標識板１の表面に付された地点名を、その上部前方から光を照射して照明するために、取付ブラケット１８により取り付けられる。なお、照明器具１３は地点名標識板１の右または左の側部前方に取り付け、側部前方から照明することもできる。照明器具１３は、図５に示すように、傘部１６の内側に棒状のＬＥＤユニット１５を取り付けて構成され、ＬＥＤユニット１５には、例えば９個の白色のＬＥＤ１４（図６）が３０ｍｍのピッチで長手方向に沿って配設され、地点名標識板１の表面に上部前方から白色の光を照射して、地点名標識板１の地点名を照明するように構成される。
【００２２】
棒状のＬＥＤユニット１５と傘部１６を備えた照明器具１３は、図５に示すように、Ｌ形の取付ブラケット１８により取り付けられ、取付ブラケット１８の背面部を固定ボルト１８ａによりリブ１９に固定し、地点名標識板１の上部に取り付けられる。照明器具１３の傘部１６は照射範囲調整部を介して両側のフレーム部に支持され、照射範囲調整部は傘部１６とＬＥＤユニット１５の取付角度を調整可能に取り付けるように構成される。照明器具１３の傘部１６及びＬＥＤユニット１５は、照射範囲調整部によってその取り付け角度を調整し、光の照射方向を斜め下方の表示面に向けて、地点名標識板１の地点名を明るく照明するように調整することができる。
【００２３】
照明器具１３のＬＥＤ１４を点灯駆動する制御手段は、図６に示すように、蓄電体９の充放電を制御するコントローラ６を主要部として構成され、太陽電池８で発生した電力を蓄電する蓄電体９、及び昼夜の別を検出して昼間信号または夜間信号を出力する昼夜検出器７を備えている。
【００２４】
コントローラ６は、充放電制御回路、ＬＥＤ駆動回路などから構成され、夜間、昼夜検出器７から夜間信号が出力されているとき、蓄電体９に蓄電された電力を照明器具１３に供給し、ＬＥＤ１４を点灯表駆動し、昼間に昼夜検出器７から昼間信号が出力されているとき、ＬＥＤ１４を消灯する一方、太陽電池８で発生した起電力を、充放電制御回路を通して蓄電体９に蓄電するようになっている。なお、昼夜検出器７は太陽電池８の出力電圧に基づき昼間信号または夜間信号を発生させるように構成することができ、太陽電池８の出力電圧が予め設定した設定電圧以上の場合、昼間信号を出力し、設定電圧未満の場合、夜間信号を出力する。
【００２５】
図１に示すように、太陽電池８は、信号機２２の支柱２０の上部に取り付けられ、コントローラ６及び蓄電体９は支柱２０の下部に取り付けられる制御箱２３内に配設される。蓄電体９には、リチウムイオン二次電池、リチウムイオンポリマー二次電池、鉛電池などの二次電池（容量約１２Ｖ，約４４Ａｈ）を使用することができる。また、太陽電池８として、例えば約５３０ｍｍ×４５０ｍｍの大きさの太陽電池パネルを使用した場合、約１６．４Ｖ、１．５７Ａの電力を発生することができ、そこで発生した起電力を蓄電体９の蓄電した場合、約７日間にわたり昼間の充電なしに、夜間、地点名標識板１を点灯表示することができる。
【００２６】
なお、図６に示すように、太陽電池８を使用しない場合、太陽電池８に代えて商用電源Ｓからの電力をコントローラ６に導入するように構成することもでき、この場合、商用電源Ｓの交流を、電圧１２Ｖの直流に変換してコントローラ６に供給し、コントローラ６は、商用電源Ｓの電力を用いて蓄電体９の充電を行い、夜間、商用電源Ｓの電力を用いてＬＥＤ１４を点灯駆動することとなる。
【００２７】
このため、仮に商用電源Ｓを使用していたときに災害などで停電となった場合、蓄電体９の電力を放電させてＬＥＤ１４を点灯駆動することになるが、ＬＥＤ１４の電力消費量は少なく、約７日間は、夜間、照明器具１３のＬＥＤ１４を点灯することができる。
【００２８】
上記構成の停電時対応型標識装置は、図１に示すように、交差点の近傍に設置された信号機２２の支柱２０に取り付けられる。地点名標識板１を取り付ける場合、信号機２２の支柱２０の上部に取り付けたビーム２１の一部に、専用の固定金具を用いて取り付けられる。なお、信号機のない交差点では、交差点の近傍に、専用の支柱が設置され、その支柱のビームに地点名標識板１が取り付けられることとなる。また、既設の標識板に地点名標識板１を直接取り付けることもできる。
【００２９】
図１に示すように、太陽電池８は支柱２０の上部に取り付けられ、コントローラ６や蓄電体９を内蔵した制御箱２３は支柱２０の下部に取り付けられる。商用電源Ｓを使用しない場合、基本的には、商用電源に接続する必要がないため、既存の交差点に、非常に簡便に、また、信号機の点灯回路に影響を与えることなく、停電時対応型標識装置を設置することができる。
【００３０】
コントローラ６は、昼間に、昼夜検出器７から昼間信号が出力されているとき、ＬＥＤ１４を消灯する一方、太陽電池８で発生した起電力を、充放電制御回路を通して蓄電体９に蓄電する。
【００３１】
一方、夜間になって、昼夜検出器７から夜間信号が出力された場合、コントローラ６は、蓄電体９を充電から放電に切り替え、蓄電体９から放電される電力を、照明器具１３のＬＥＤユニット１５に供給し、ＬＥＤユニット１５のＬＥＤ１４を点灯駆動する。
【００３２】
これにより、照明器具１３のＬＥＤユニット１５のＬＥＤ１４から照射され配光調整された光が、地点名標識板１の表面に向けて出射され、地点名標識板１が明るく点灯表示される。
【００３３】
このため、自動車のドライバは、夜間であっても、交差点の地点名を容易に視認し、その地点を認識することができる。さらに、信号機のない交差点を、夜間に通過する自動車のドライバは、特に、暗い状態の地点名標識板を見落としやすいが、地点名標識板１は照明器具１３により照明されて表示されるので、信号機のない交差点であっても、地点名を容易に視認し、その地点を認識することができる。
【００３４】
しかも、夜間、信号機のない交差点が地点名標識板１の点灯表示により明るくなるため、交差点の存在が自動車のドライバには容易に認識できるようになり、これにより、夜間の交差点での交通事故の発生を防止することができる。また、夜間の災害時などに、被災者が徒歩で暗い道を歩いて帰る際、交差点で点灯表示された地点名標識板を見れば、どこを歩いているのかが直ぐに分かり、安心して帰宅することができる。
【００３５】
なお、上記実施形態では、信号機２２のある交差点の支柱２０に、地点名標識板１を設置したが、信号機のない交差点に地点名標識板１を設置することもできる。この場合、交差点の近傍に設置された別の標識用の支柱或いは専用に設けた支柱を利用して、地点名標識板１を取り付けることとなる。
【００３６】
また、上記実施形態において、停電時対応型標識装置を設置した交差点に、歩行者を検知する人感センサを配設し、歩行者が交差点近傍に近づいた場合、人感センサからの検知信号をコントローラに入力し、地点名標識板１を点滅表示する或いは発光色を変えて点灯表示するように構成することもできる。また、交差点に近づいた自動車を検知する自動車検知センサを交差点近傍に設置し、自動車が交差点近傍に近づいた場合、自動車検知センサからの検知信号をコントローラに入力し、地点名標識板１を点滅表示する或いは発光色を変えて点灯表示するように構成することもできる。
【符号の説明】
【００３７】
１      地点名標識板
６      コントローラ
７      昼夜検出器
８      太陽電池
９      蓄電体
１０    金属板
１３    照明器具
１４    ＬＥＤ
１５    ＬＥＤユニット
１６    傘部
１７    文字シート
１８    取付ブラケット
１８ａ  固定ボルト
１９    リブ
２０    支柱
２１    ビーム
２２    信号機
２３    制御箱
【図１】
2013100652.tif 000003
【図２】
2013100652.tif 000004
【図３】
2013100652.tif 000005
【図４】
2013100652.tif 000006
【図５】
2013100652.tif 000007
【図６】
2013100652.tif 000008